(57)【要約】【課題】  持ち替えのために余計な動作をしなくても操作が可能であって人間工学的に優れた電子機器を提供する。【解決手段】  任意の対象物上に置かれた電子機器を掴むための把持部５と、把持部５を持ち替えることなく操作可能な操作部２とを備え、任意の対象物上に一方の側面１ａを伏せて置かれるように構成され、操作部２が、一方の側面１ａに、任意の対象物によって操作されないように設けられている電子機器を採用する。【選択図】  図１
2005167033.tif 000002
【特許請求の範囲】
【請求項１】
任意の対象物上に置かれた電子機器を掴むための把持部と、前記把持部を持ち替えることなく操作可能な操作部とを備え、
前記任意の対象物上に所定の面を伏せて置かれるように構成され、前記操作部が、前記所定の面に、前記任意の対象物によって操作されないように設けられていることを特徴とする電子機器。
【請求項２】
前記所定の面に、前記任意の対象物に当接する凸部が形成されていることを特徴とする請求項１記載の電子機器。
【請求項３】
前記所定の面が、前記把持部を握った手の指を前記任意の対象物との間に差し込めるように凹曲面となっていることを特徴とする請求項１または２記載の電子機器。
【請求項４】
前記所定の面の周囲に、前記把持部を握った手の指を沿わせるテーパ面が設けられ、前記任意の対象物と前記テーパ面とが鋭角をなすように形成されていることを特徴とする請求項１から３のいずれか一項記載の電子機器。
【発明の詳細な説明】
【技術分野】
【０００１】
本発明は、手に持って操作する電子機器に関する。
【背景技術】
【０００２】
ＩＣレコーダ、ＰＤＡ、テレビやビデオデッキ、エアコン、プロジェクタ等の家電製品のリモコン、および携帯電話等、手に持って操作する電子機器は、例えば机の上等の平らな面に置くことを考慮して下面が平らに形成され、上面にボタンや液晶画面等の操作部が設けられているのが一般的である（下記の特許文献１）。
【特許文献１】特開平９−３５４６８号公報（図４参照）
【発明の開示】
【発明が解決しようとする課題】
【０００３】
例えば机上に置かれた上記の電子機器を手に持って操作する場合、一方の手で電子機器の操作部に設けられた面が掌に対向するように掴んで持ち上げ、その後反対面（机面に接していた面）が他方の手の掌に対向するように持ち替え、一方の手または他方の手の指で操作部のボタン等を操作する。
つまり、一旦手に持った電子機器を持ち替えなければ操作することができなかった。
【０００４】
本発明は上記の事情に鑑みてなされたものであり、持ち替えのために余計な動作をしなくても操作が可能であって人間工学的に優れた電子機器を提供することを目的としている。
【課題を解決するための手段】
【０００５】
上記の課題を解決するための手段として、次のような構成の電子機器を採用する。すなわち本発明の請求項１記載の電子機器は、任意の対象物上に置かれた電子機器を掴むための把持部と、前記把持部を持ち替えることなく操作可能な操作部とを備え、前記任意の対象物上に所定の面を伏せて置かれるように構成され、前記操作部が、前記所定の面に、前記任意の対象物によって操作されないように設けられていることを特徴とする。
【０００６】
この発明においては、任意の対象物を掴んだ一方の手を持ち替えることなく、その一方の手または他方の手の指で操作部を操作することが可能なので、持ち替えの余計な動作をしなくて済む。
また、操作部が任意の対象物に伏せられる所定の面に設けられていることにより、操作部に対するゴミや汚れ等の付着が防止される。さらに、操作部が任意の対象物によって操作されないようになっていることにより、操作部が意図に反して操作されて電子機器が作動することはない。
【０００７】
請求項２記載の電子機器は、請求項１記載の電子機器において、前記所定の面に、前記任意の対象物に当接する凸部が形成されていることを特徴とする。
【０００８】
本発明においては、凸部が任意の対象物に当接することにより、操作部が任意の対象物に接することがなく、操作部に対してゴミや汚れ等の付着が防止されるとともに、操作部の誤操作が防止される。
【０００９】
請求項３記載の電子機器は、請求項１または２記載の電子機器において、前記所定の面が、前記把持部を握った手の指を前記任意の対象物との間に差し込めるように凹曲面となっていることを特徴とする。
【００１０】
本発明においては、操作部を設けた面が凹曲面となっていることにより、把持部を握るとその手の指が任意の対象物との間に自然に差し込まれ、指先が把持部を包むようにして電子機器に接するので、電子機器が確実に手の中に収まる。
【００１１】
請求項４記載の電子機器は、請求項１から３のいずれか一項記載の電子機器において、前記所定の面の周囲に、前記把持部を握った手の指を沿わせるテーパ面が設けられ、前記任意の対象物と前記テーパ面とが鋭角をなすように形成されていることを特徴とする。
【００１２】
本発明においては、操作部を設けた面の周囲に設けたテーパ面が、任意の対象物に対して鋭角をなすことにより、把持部を握るとその手の指が自然にテーパ面に触れ、指先が把持部を包むようにして電子機器に接するので、電子機器が確実に手の中に収まる。
【発明の効果】
【００１３】
本発明の電子機器は、持ち替えの余計な動作をしなくても操作が可能であり、しかも自然な動作で確実に手の中に収まるので、人間工学的に非常に優れている。
【発明を実施するための最良の形態】
【００１４】
本発明の実施形態を図１から図４に示して説明する。
図１から図３には、本発明の電子機器の一例として、テレビやビデオデッキ、エアコン、プロジェクタ等のリモートコントローラ（以下、略してリモコンと称す）を示している。このリモコンは、縦長の筐体１の一方の側面（所定の面）１ａに、家電製品を操作するための操作部２として、複数のボタン３と、操作のための情報を表示する液晶画面４とが設けられている。複数のボタン３、液晶画面４は、一方の側面１ａから突き出さず、ほぼ面一になる高さに配置されている。
このリモコンは、筐体１の一方の側面１ａを下に向け、任意の対象物（例えば机）１０の上に伏せて置かれるようになっている。そして筐体１には、一方の側面１ａを任意の対象物１０の上に伏せて置いた状態でリモコンを掴むための把持部５が設けられている。把持部５は、一方の側面１ａを伏せて置いた状態では上を向く筐体１の他方の側面１ｂに掌を乗せると、親指を筐体１の片側から一方の側面１ａに回り込ませ、他の４本の指を筐体１の反対側から一方の側面１ａに回り込ませることができるように形成されている。
【００１５】
具体的には、筐体１の胴回りの大きさが、把持部５を掴んだときにその手のすべての指が一方の側面１ａに回り込んで幾分余る程度となっており、操作部２を構成する複数のボタン３は、把持部５を持ち替えることなく操作することができるようになっている。
【００１６】
筐体１の一方の側面１ａは、複数のボタン３が設けられた部分を中心に、滑らかな凹曲面１ｃをなすように形成されている。また、筐体１には、一方の側面１ａの周囲に、把持部５を握った手の指を沿わせるテーパ面１ｄが設けられている。このテーパ面１ｄは、図４に示すように、任意の対象物１０の平滑な面との間で鋭角θをなすように形成されている。
【００１７】
筐体１の一方の側面１ａには、液晶画面４の上に２箇所、ボタン３の下に１箇所、任意の対象物１０に当接する凸部６が形成されている。
【００１８】
筐体１には、木材を圧縮して強化したものが使用されている。使用される木材としては、例えば檜、檜葉、桐、チーク、マホガニー、杉、松、桜、竹等が挙げられる。また、ムクの木材だけではなく、廃材チップや木粉等を集めて固めた圧縮加工材料のような木質材をも使用することができる。このような木材を圧縮して強化すると、アルミニウム並みの強度が得られることが知られている。
【００１９】
上記のように構成されたリモコンを、例えば机等の任意の対象物１０上に置かれた状態から手に持って操作する場合、リモコンの把持部５を一方の手で上から掴んで持ち上げ、持ち替え等せず掴んだ手をそのまま裏返す。すると、操作部２が設けられた一方の側面１ａが上に向くので、他方の手または一方の手の指で操作部２の複数のボタン３を操作する。
【００２０】
上記のリモコンによれば、掴んだ一方の手を持ち替えることなく、他方の手または一方の手の指で複数のボタン３を操作することが可能なので、持ち替えの余計な動作をしなくて済む。
【００２１】
操作部２を設けた側面１ａが、任意の対象物１０上に伏せられることにより、複数のボタン３や液晶画面４に対するゴミや汚れ等の付着を防止することができる。
また、側面１ａに設けられた凸部６が任意の対象物１０に当接することにより、複数のボタン３や液晶画面４が任意の対象物１０に接することがなく、上記と同様に複数のボタン３や液晶画面４に対するゴミや汚れ等の付着を防止することができる。加えて、複数のボタン３の誤操作を防止することができる。
【００２２】
操作部２を設けた側面１ａに凹曲面１ｃが形成されていることにより、把持部５を握るとその手の指が任意の対象物１０との間に自然に差し込まれ、指先が把持部５を包むようにして電子機器に接するので、電子機器を確実に手の中に収めることができる。
さらに、操作部２を設けた側面１ａの周囲に設けたテーパ面１ｄが、任意の対象物１０に対して鋭角θをなすことにより、把持部５を握るとその手の指が自然にテーパ面１ｄに触れ、指先が把持部５を包むようにして電子機器に接するので、上記と同様に電子機器を確実に手の中に収めることができる。
【００２３】
また、筐体１に使用した圧縮木材は、優れた吸湿性をもち、手になじみ易く人間の感性に訴えかける優しい触感を備えるだけでなく、強度が高く、耐久性や加工性に富んでいて大量生産も可能であり、電子機器の外装材として非常に有効である。
【産業上の利用可能性】
【００２４】
本発明の電子機器は、上記実施形態に示した家電製品のリモコンに限らず、ＩＣレコーダやＰＤＡ、携帯電話、カメラ等、手に持って操作する機器として好適である。
【図面の簡単な説明】
【００２５】
【図１】本発明の実施形態を示す図であって、家電製品のリモコンを、操作部を上に向けた状態で斜め上方から見た図である。
【図２】同リモコンを、操作部を下に向けた状態で斜め上方から見た図である。
【図３】同リモコンを、操作部を下に向けた状態で側方から見た図である。
【図４】同リモコンを断面視した図（図３のIV−IV線矢視断面図）である。
【符号の説明】
【００２６】
１      筐体
１ａ    一方の側面（所定の面）
２      操作部
３      ボタン
４      液晶画面
５      把持部
１ｃ    凹曲面
１ｄ    テーパ面
６      凸部
１０    任意の対象物
【図１】
2005167033.tif 000003
【図２】
2005167033.tif 000004
【図３】
2005167033.tif 000005
【図４】
2005167033.tif 000006